(57)【要約】【課題】  本発明は、吸盤をラックの背面と底面に付け替え可能とし、ビン洗いブラシなどの細長い小物を掛けて吊り下げることができ、ラックに置いた隣り同士の小物が接触しないラックを提供することを目的とする。また、小物の接触を防止するため隣合う小物間の仕切りを１つにして空間を有効的に利用し、コストの嵩むことのないラックを提供することを目的とする。【解決手段】  吸盤を着脱可能に取付けることができる台所用のラックであって、吸盤をラックの背部と底部とに付け替え可能とするための少なくとも一組の吸盤取付構造が設けられている。また、容器の収納部に膨出部を設けて容器の横移動を阻止する。【選択図】  図１
2005185562.tif 000002
【特許請求の範囲】
【請求項１】
吸盤を着脱可能に取付けることができる台所用のラックであって、吸盤をラックの背部と底部とに付け替え可能とするための少なくとも一組の吸盤取付構造が設けられていることを特徴とする台所用のラック
【請求項２】
ラックの全体又は一部がワイヤ又はパイプである棒材で形成されている請求項１記載のラック
【請求項３】
吸盤取付構造は平行状態で対向する支持部を含み、該対向する支持部はラックの背部から底部に亘ってそれぞれ一体に連続している請求項１又は請求項２記載のラック
【請求項４】
吸盤に設けられた取付構造は吸盤の中央から突出する吸盤基部に設けられた係合溝であって、ラックに設けられた支持部が前記吸盤基部の両側から前記係合溝に係合して吸盤がラックに取付けられる請求項３記載のラック
【請求項５】
ラックの底部にある吸盤取付構造の少なくとも１つがラックに収納される小物を底から支持する請求項１乃至請求項４記載のラック
【請求項６】
ラックの底部に取付けられた少なくとも１つの吸盤の吸盤基部が、ラックに収納される小物を支持する請求項４記載のラック
【請求項７】
対向する支持部の少なくとも一方は棒材で形成されている請求項３乃至請求項６記載のラック
【請求項８】
対向する支持部は吸盤取付構造と共に１つの棒材で一体に形成されている請求項７記載のラック
【請求項９】
吸盤取付構造の一部が、ラックの底部外形を構成するベースフレームよりも前方に突き出ている請求項１乃至請求項８記載のラック
【請求項１０】
二組乃至四組の吸盤取付構造を有する請求項１乃至請求項９記載のラック
【請求項１１】
ベースフレームと少なくとも二組の吸盤取付構造により吸盤非装着時のラックを支持する請求項１０記載のラック
【請求項１２】
ベースフレームは棒材で形成され、該ベースフレームよりも前方に突き出ている少なくとも二組の吸盤取付構造の端部をそれぞれ下方に折り曲げ、且つベースフレームを構成する両側の側方棒部の後部を下方に折り曲げることにより、少なくとも二組の吸盤取付構造の端部と、ベースフレームを構成して横方向に延びる後方棒部とによりラックを支持する請求項１１記載のラック
【請求項１３】
ラックの上端外形を構成する上端フレームは板材で形成され、他のフレームは棒材で形成されている請求項２乃至請求項１２記載のラック
【請求項１４】
収納すべき小物の収納部が横方向に少なくとも２つ並んでいる台所用のラックであって、少なくとも１つの収納部は液体洗剤等の筒状容器を収納するための容器収納部であり、該容器収納部とその隣りの収納部との間には仕切フレームが設けられ、容器は前記仕切フレームに接触しないように容器収納部に収納され、且つ前記容器が仕切フレームに接触することを阻止する容器移動防止手段が設けられていることを特徴とする台所用のラック
【請求項１５】
ラックの全体又は一部がワイヤ又はパイプである棒材で形成されている請求項１４記載のラック
【請求項１６】
容器移動防止手段は、容器収納部の前面部を構成するフレームを前方に膨出させて形成した膨出部であって、容器収納部に収納した容器は仕切フレームから離れており、容器の一部が前記膨出部に内接することにより横移動が阻止される請求項１４又は請求項１５記載のラック
【請求項１７】
仕切フレームは棒材で形成され、ラックの前面から前方に突出して物掛部を構成している請求項１５又は請求項１６記載のラック
【発明の詳細な説明】
【技術分野】
【０００１】
本発明は、台所で用いるタワシや液体洗剤などを置くためのラックに関する。
【背景技術】
【０００２】
従来の吸盤付き台所用のラックは、ラックの背面又は底面のいずれか一方にのみ吸盤を取付ける構造である。また、小物を置いたりスポンジたわしを挟持することはできるが、小物を掛ける手段は有していない。さらには、小物とその隣りのスポンジたわしの接触を避けるために小物用の仕切りフレームとスポンジたわし用の仕切りフレームをそれぞれ設けることにより両者間に距離を置いて分離している（例えば、特許文献１参照。）。
【特許文献１】実用新案登録第２５８１５６２号公報
【発明の開示】
【発明が解決しようとする課題】
【０００３】
従来の台所用ラックは上述したような構成であって、吸盤がラックの背面又は底面のいずれか一方の取付ける構成であるから、例えば壁面に取付けるラックは流し台の上面に取付けることができないので不便である。また、小物を置いたり両側から挟持する構成は有しているが小物を掛ける構造は有していない。台所用小物の中にはビン洗いブラシなどのような細長い小物も多く存在し、ラックを壁面に取付けたときにそのような細長い小物を掛けることができれば便利である。さらに、液体洗剤の入った容器とスポンジたわしのように水分を含んだ小物とを並べて置いたときに、両者が接触しているとスポンジたわしがいつまでも乾燥せず不潔であり、容器を取り出すときに濡れた部分が手に触れると不快感を生じるのである。そのために、ラックに置いた隣り同士の小物が接触しないように、それぞれの小物について仕切りを設けているが、狭い間隔で２つの仕切りを設けるとその分だけ無駄な部分が生じ、コストが嵩んでしまうのである。
【０００４】
そこで本発明は、吸盤をラックの背面と底面に付け替え可能とし、ビン洗いブラシなどの細長い小物を掛けて吊り下げることができ、ラックに置いた隣り同士の小物が接触しないラックを提供することを目的とする。また、小物の接触を防止するため隣合う小物間の仕切りを１つにして空間を有効的に利用し、コストの嵩むことのないラックを提供することを目的とする。
【課題を解決するための手段】
【０００５】
本発明の請求項１は、少なくとも１つの吸盤をラックの背部と底部とに付け替え可能とするための少なくとも一組の吸盤取付構造が設けられている構成であり、請求項２は、そのラックの全体又は一部がワイヤ又はパイプである棒材で形成されている構成である。請求項３は、吸盤取付構造は平行状態で対向する支持部を含み、その対向する支持部はラックの背部から底部に亘ってそれぞれ一体に連続している要素が請求項１又は請求項２に限定的に付加された構成であり、請求項４は、吸盤に設けられた取付構造は吸盤の中央から突出する吸盤基部に設けられた係合溝であって、ラックに設けられた支持部が前記吸盤基部の両側から前記係合溝に係合して吸盤がラックに取付けられる要素が請求項３に限定的に付加された構成である。
【０００６】
請求項５は、ラックの底部にある吸盤取付構造の少なくとも１つがラックに収納される小物を底から支持する要素が請求項１乃至請求項４に限定的に付加された構成である。請求項６は、ラックの底部に取付けられた少なくとも１つの吸盤の吸盤基部が、ラックに収納される小物を支持する要素が請求項４に限定的に付加された構成である。
【０００７】
請求項７は、対向する支持部の少なくとも一方が棒材で形成されている要素が請求項３乃至請求項６に限定的に付加された構成であり、請求項８は、対向する支持部が吸盤取付構造と共に１つの棒材で一体に形成されている要素が請求項７に限定的に付加された構成である。
【０００８】
請求項９は、吸盤取付構造の一部が、ラックの底部外形を構成するベースフレームよりも前方に突き出ている要素が請求項１乃至請求項８に付加された構成であり、請求項１０は、１つの吸盤を背部と底部に付け替えるための一組の吸盤取付構造を二組乃至四組有する要素が請求項１乃至請求項９に限定的に付加された構成である。
【０００９】
請求項１１は、ベースフレームと少なくとも二組の吸盤取付構造により吸盤非装着時のラックを支持する要素が請求項１０に限定的に付加された構成である。請求項１２は、ベースフレームが棒材で形成され、そのベースフレームよりも前方に突き出ている少なくとも二組の吸盤取付構造の端部をそれぞれ下方に折り曲げ、且つベースフレームを構成する両側の側方棒部の後部を下方に折り曲げることにより、少なくとも二組の吸盤取付構造の端部と、ベースフレームを構成して横方向に延びる後方棒部とによりラックを支持する要素が請求項１１に限定的に付加された構成である。請求項１３は、ラックの上端外形を構成する上端フレームが板材で形成され、他のフレームは棒材で形成されている要素が請求項２乃至請求項１２に限定的に付加された構成である。
【００１０】
請求項１４は、収納すべき小物の収納部が横方向に少なくとも２つ並んでいる台所用のラックであって、少なくとも１つの収納部は液体洗剤等の筒状容器を収納するための容器収納部であり、その容器収納部とその隣りの収納部との間には仕切フレームが設けられ、容器は仕切フレームに接触しないように容器収納部に収納され、且つ前記容器が仕切フレームに接触することを阻止する容器移動防止手段が設けられている構成である。請求項１５は、そのラックの全体又は一部がワイヤ又はパイプである棒材で形成されている構成である。
【００１１】
請求項１６は、容器移動防止手段が、容器収納部の前面部を構成するフレームを前方に膨出させて形成した膨出部であって、容器収納部に収納した容器は仕切フレームから離れており、容器の一部が膨出部に内接することにより横移動が阻止される要素が請求項１４又は請求項１５に限定的に付加された構成である。請求項１７は、仕切フレームが棒材で形成され、ラックの前面から前方に突出して物掛部を構成している要素が請求項１５又は請求項１６に限定的に付加された構成である。
【発明の効果】
【００１２】
請求項１は、少なくとも１つの吸盤をラックの背部と底部とに付け替え可能とするための少なくとも一組の吸盤取付構造が設けられている。したがって、ラックを台所の壁面に取付けることもできるし、壁面に適当な場所がなければ流し台の上面に固定して使用することもできるので取扱いが便利である。請求項２は、  ラックの全体又は一部がワイヤ又はパイプである棒材で形成されている。本発明のラックは台所で用いるものであるから例えばスポンジたわし等を置いておくために使用される。ラックが棒材で形成されていればスポンジたわしに含まれる水分を容易に流し出し、乾燥を早める効果を奏する。
【００１３】
請求項３は、吸盤取付構造は平行状態で対向する支持部を含み、この対向する支持部はラックの背部から底部に亘ってそれぞれ一体に連続している。したがって、吸盤の取付け場所は背部あるいは底部の一定の場所に限定されることはなく、平行状態で対向する支持部が存在すればよいのでその範囲で任意の場所に吸盤を取付けることができる。また、支持部は主に棒材や細長い板材で形成され、それらの棒材や板材を途中でほぼ直角に折り曲げることにより背部から底部に亘って延在するから、それらの棒材や板材をそのままラックの構成要素とすることが可能であり、特別の吸盤取付構造を設けなくてもよいので材料を効率よく利用できる。
【００１４】
請求項４は、吸盤に設けられた取付構造は吸盤の中央から突出する吸盤基部に設けられた係合溝であって、ラックに設けられた支持部が前記吸盤基部の両側から前記係合溝に係合して吸盤がラックに取付けられる。したがって、例えばラックの背面に取付けられている吸盤を同じ背面の異なる場所に移動するときに、吸盤を支持部から取り外さなくても支持部に沿って摺動することにより簡単に移動することができる。請求項５は、ラックの底部にある吸盤取付構造の少なくとも１つがラックに収納される小物を底から支持するので、ラックの底部を別途設ける必要がなく材料を効率よく利用できる。請求項６は、ラックの底部に取付けられた少なくとも１つの吸盤の吸盤基部が、ラックに収納される小物を支持する。吸盤は弾力性のある材料で形成されているから、比較的硬い小物や重い小物をラックに載せる際に吸盤基部の弾力によってラックに与える衝撃を弱くすることができる。したがって、小物を載せる際の衝撃によって吸盤が壁面から離れてラックが落ちることを防止できる。
【００１５】
請求項７は、対向する支持部の少なくとも一方が棒材で形成されているのでラック自体あるいは小物を早く乾燥することができる。請求項８は、対向する支持部が吸盤取付構造と共に１つの棒材で一体に形成されている。したがって、ラックを製造するときにあらかじめ吸盤取付構造を作っておいて、それを他の部品と共に組み立てることによってラックを完成させることができるから製造が容易である。
【００１６】
請求項９は、吸盤取付構造の一部が、ラックの底部外形を構成するベースフレームよりも前方に突き出ている。したがって、その突き出た部分に紐付きのビン洗いブラシを吊り下げることができる。請求項１０は、二組乃至四組の吸盤取付構造を有している。したがって、ラックを横方向に長くして２つ以上の小物を並べて置くときに全体の重量が大きくなるが、吸盤を２乃至４つ取付けることによりラックが落ちないように確実に壁面に取付けることができる。また、ラックを流し台の上面に固定するときも複数の吸盤により安定させることができる。
【００１７】
請求項１１は、ベースフレームと少なくとも二組の吸盤取付構造により吸盤非装着時のラックを支持している。したがって、ラックの基本構造であるベースフレームと吸盤取付構造をそのままラックの支持構造として使用しているので材料を効率よく利用できる。
【００１８】
請求項１２は、ベースフレームが棒材で形成され、そのベースフレームよりも前方に突き出ている少なくとも二組の吸盤取付構造の端部をそれぞれ下方に折り曲げ、且つベースフレームを構成する両側の側方棒部の後部を下方に折り曲げることにより、少なくとも二組の吸盤取付構造の端部と、ベースフレームを構成して横方向に延びる後方棒部とによりラックを支持する。したがって、ラックの基本構造であるベースフレームと吸盤取付構造を折り曲げるだけでラックを支持するので材料を効率よく利用できると共に、折り曲げることによりラックの底部の風通しが良くなるのでラック等の乾燥を早めることができる。
【００１９】
請求項１３は、ラックの上端外形を構成する上端フレームが板材で形成され、他のフレームは棒材で形成されている。ベースフレームは小物の底を支持するフレームが横切っているのでそれが補強作用をなしているが、上端フレームはそれを横切るフレームを必ずしも必要としない。したがって、上端フレームを横切るフレームを設けないときは、上端フレームを板材で形成することにより棒材よりも大きな強度が得られるので変形しにくくすることができる。また、板材を用いたときはその表面に文字や模様を書き入れることができるから、それらによって需要者の注意を引くことができる。
【００２０】
請求項１４は、収納すべき小物の収納部が横方向に少なくとも２つ並んでいる台所用のラックであって、少なくとも１つの収納部は液体洗剤等の筒状容器を収納するための容器収納部であり、その容器収納部とその隣りの収納部との間には仕切フレームが設けられ、容器は仕切フレームに接触しないように容器収納部に収納され、且つ前記容器が仕切フレームに接触することを阻止する容器移動防止手段が設けられている。したがって、横に並べられた２つの小物が接触しないので乾燥を早めることができると共に、容器が隣りのスポンジたわしによって濡れることがなく、容器を取り出すときに濡れた部分が手に触れると不快感を生じさせることを防止できる。請求項１５は、ラックの全体又は一部がワイヤ又はパイプである棒材で形成されているので、ラック等の乾燥を早めることができる。
【００２１】
請求項１６は、容器移動防止手段が、容器収納部の前面部を構成するフレームを前方に膨出させて形成した膨出部であって、容器収納部に収納した容器は仕切フレームから離れており、容器の一部が膨出部に内接することにより横移動が阻止される。したがって、容器収納部独自の仕切フレームを設けなくても容器は隣りの小物と接触しないので、隣りの小物用の仕切フレームだけを設ければ容器とその隣りの小物との接触を防止できる。
【００２２】
請求項１７は、仕切フレームが棒材で形成され、ラックの前面から前方に突出して物掛部を構成している。したがって、ラックを構成する仕切フレームをそのまま物掛部に使用できるから材料を効率よく利用できる。また、物掛部は棒材であるから自由に折り曲げることが可能であり、上向きに折り曲げればその先端からスチールたわしに差して掛けておくことができる。また、その上向き部分を長くすれば台所用手袋などを掛けておき、早期に乾燥させることができる。
【発明を実施するための最良の形態】
【００２３】
次に本発明の実施をするための最良の形態について説明する。図1に示すようにラック１はその外形を構成する３つのメインフレーム、すなわちワイヤで形成されたベースフレーム２と中段フレーム３、及び板材で形成された上端フレーム４とを有している。ワイヤの太さは直径が２ｍｍであり、板材の幅は１５ｍｍであるがこれに限定されないことは勿論である。これらの各メインフレーム２，３，４の上下の間隔を一定に保持するための側部フレーム５、５が各メインフレームの側部に固着され、それらの側部フレーム５，５を一体に結ぶ底フレーム６がラック１の底部を横方向に横切っている。側部フレーム５，５と底フレーム６は一本のワイヤで一体に形成されている。各フレームを固着する手段としてはロウ付が用いられるが熔接などの他の方法であってもよい。
【００２４】
吸盤７をラックの背部と底部とに付け替え可能とするための吸盤取付構造８、９は二組設けられており、それぞれの吸盤取付構造はワイヤが平行状態で対向する支持部１０，１１，１２，１３を有し、Ｌ字形に曲げられて各メインフレーム２，３，４及び底フレーム６とに固着されている。また、取付構造８，９の各端部はＵ字形に曲がって連続している。
【００２５】
各取付構造８，９の前部はベースフレーム２よりも前方に突出しており、Ｕ字形に曲がった各取付構造の前方端部２９，３０は下方に曲がって、ラック１に吸盤７を用いない場合においてラックを支持する作用をなす。このとき、ラック１を水平に支持するために、ベースフレームの両側フレーム３１，３１を下方に折り曲げて後部フレーム３２の位置を下げることにより高さを合わせる。
【００２６】
図１に示すように吸盤７はその中央から突出する吸盤基部１４が一体に設けられ、その周囲に係合溝１５が形成されている。この係合溝１５に前述した対向する支持部１０，１１，１２，１３が係合して吸盤７はラック１に取付けられる。吸盤７は弾力性のある材料で形成されているから変形可能であり、したがって、吸盤７は支持部から容易に取り外すことができ、他の支持部に付け替えることができる。したがって、図１及び図５に示すように吸盤７はラック１の背部及び底部のいずれにも取付けることができる。また、支持部１０，１１，１２，１３はそれぞれ対向して延在しているから、それらの支持部に取付けられた吸盤７はそれぞれの支持部に支持されながら摺動可能である。したがって、必要に応じて吸盤７の位置を変化させて用いることができる。
【００２７】
ラック１は１つの液体洗剤用の容器１９と２つのスポンジたわし２０、２１を収納できるように形成されており、容器収納部１６とたわし収納部１７，１８は横に隣合って並んでいる。容器収納部１６の底部に取付けられている吸盤取付構造９が実質的に容器１９を底から支持している。この吸盤取付構造９の底面の支持部１３に吸盤７が取付けられたときは、吸盤基部１４が容器１９の底面に当たって容器を支持するようになる。
【００２８】
容器収納部１６の前面部を構成する各メインフレーム４，５，６はその部分で前方に膨出し膨出部２２を構成している。容器１９が容器収納部１６に収納されたときに、容器１９が膨出部２２に内接するように膨出部２２が構成されているので、膨出部２２に阻止されて容器１９は横方向に移動することができない。なお、膨出部２２の最大膨出度は１２ｍｍであり、上端フレーム４にあっては膨出部２２を含む前後の長さは７２ｍｍであって、膨出部２２を含まない部分の前後の長さは６０ｍｍである。しかし、本発明がこの数値に限定されないことは勿論である。
【００２９】
容器収納部１６とたわし収納部１７，１８の間には仕切フレーム２３が取付けられている。仕切フレーム２３は中段フレーム３に固着されてこの中段フレーム３を横切ってラック１の前面から突出するように延び、さらに垂直に上方に曲がって物掛部２４を構成している。物掛部２４には小物を吊り下げることができ、さらに図４に示すように垂直に上方に曲がった部分をスチールたわし２５などに差しておくことができる。ラック１の横の長さは１５８ｍｍであり、垂直に延びる物掛部２４とベースラックの後部フレーム３２との間の距離は９３．５ｍｍである。ラック１の容器収納部１６がわの側部から仕切フレーム２３までの距離は７５ｍｍである。また、ラック全体の高さは８１ｍｍである。しかし本発明において数値がこれらに限定されないことは勿論である。
【００３０】
図２に示すように、前述した仕切フレーム２３は膨出部２２よりもその隣りのたわし収納部１７，１８寄りに取付けられている。この構成によって、膨出部２２に内接するように収納された容器１９は仕切フレーム２３と接触しない。また、前述したように容器１９が仕切フレーム２３の方に移動することもない。
【００３１】
たわし収納部１７，１８は容器収納部１６の隣りに仕切フレーム２３を介して設けられている。たわし収納部１７，１８は前後に並ぶように設けられ、それらの間にたわし仕切フレーム２６が介在している。たわし仕切フレーム２６は長円形のワイヤを直角に曲げてその垂直に立ち上がった部分が該当し、他の部分を底部２７としてサブフレーム２８に固着し、長円の端部を吸盤取付構造８に固着したものである。仕切フレーム２６はたわし収納部１７，１８を前後に仕切っており、後部のたわし収納部１７の底に前述した底部２７が存在しそれがたわし２１を支持するのでその分だけ底の浅い収納部となる。前部のたわし収納部１８は前述した底部２７が存在せず、吸盤取付構造８がたわし２０を支持するので底の深い収納部となる。したがって、図４に示すように後部のたわし２１は前部のたわし２０よりも高く位置しており取り出し易い構成になっている。なお、たわし収納部１７，１８はたわしのみを収納するものでなく、この収納部に収納可能な他の小物を収納してもよいことは勿論である。
【図面の簡単な説明】
【００３２】
【図１】背部に吸盤を取付けたラックの斜視図
【図２】ラックの平面図
【図３】ラックの側面図
【図４】容器およびスポンジたわしを収納したラックの斜視図
【図５】底部に吸盤を取付けたラックの斜視図
【符号の説明】
【００３３】
１  ラック
２  ベースフレーム
３  中段フレーム
４  上端フレーム
５  側部フレーム
６  底フレーム
７  吸盤
８  吸盤取付構造
９  吸盤取付構造
１０  支持部
１１  支持部
１２  支持部
１３  支持部
１４  吸盤基部
１５  係合溝
１６  容器収納部
１７  たわし収納部
１８  たわし収納部
１９  容器
２０  たわし
２１  たわし
２２  膨出部
２３  仕切フレーム
２４  物掛部
２５  スチールたわし
２６  たわし仕切フレーム
２７  底部
２８  サブフレーム
２９  前方端部
３０  前方端部
３１  両側フレーム
３２  後部フレーム
【図１】
2005185562.tif 000003
【図２】
2005185562.tif 000004
【図３】
2005185562.tif 000005
【図４】
2005185562.tif 000006
【図５】
2005185562.tif 000007